(57)【要約】【課題】１または複数のコンテンツに対応した１または複数の好適な広告情報の中から、ユーザが所望の広告情報を容易に選択する方法がない。【解決手段】コンテンツとＣＭを順次再生する場合、再生画面を表示部１２に表示するとともに、再生されたコンテンツとＣＭのＩＤを対応情報としてコンテンツＣＭ対応情報蓄積部１６に登録する再生制御部１３と、コンテンツＣＭ対応情報蓄積部１６を参照し、表示情報を取得する必要があるコンテンツおよびＣＭを決定して、コンテンツ表示情報蓄積部２０から必要なコンテンツ表示情報を取得し、ＣＭ表示情報蓄積部２１から必要なＣＭ表示情報を取得する表示情報取得部１８と、表示情報取得部１８からコンテンツとＣＭを表示部１２に表示する際に用いる表示情報を含んだ画面表示情報１０４を取得し、コンテンツとＣＭの表示情報を表示部１２に表示するコンテンツＣＭ表示制御部１７を備える。【選択図】図１
2008109255.tif 000002
【特許請求の範囲】
【請求項１】
コンテンツと広告とを対応して表示するコンテンツ視聴機器において、
ユーザからコンテンツに対する表示要求を受け付けると、前記コンテンツと１または複数の広告を順次表示するコンテンツ視聴手段と、
前記コンテンツ視聴手段による表示が行われると、前記コンテンツを特定するためのコンテンツ識別データと前記広告を特定するための広告識別データとを取得して、コンテンツ広告対応情報として保持する登録手段と、
前記登録手段により保持されたコンテンツ広告対応情報に含まれるコンテンツ識別データによりコンテンツを特定し、特定したコンテンツのコンテンツ表示情報を取得するとともに、前記コンテンツ広告対応情報に含まれる広告識別データにより広告を特定し、特定した広告の広告表示情報を取得する表示情報取得手段と、
前記表示情報取得手段で取得した前記コンテンツ表示情報と前記広告表示情報とを対応させて表示する表示手段と、
前記表示手段により表示された広告がユーザにより選択されると、前記広告に関する情報表示を行う広告選択処理手段とを備えたことを特徴とするコンテンツ視聴機器。
【請求項２】
前記表示情報取得手段は、前記登録手段により保持された複数のコンテンツ広告対応情報に対して、コンテンツ広告対応情報に含まれるコンテンツ識別データによりコンテンツを特定し、特定したコンテンツのコンテンツ表示情報を取得するとともに、前記複数のコンテンツ広告対応情報に含まれる広告識別データにより広告を特定し、特定した広告の広告表示情報を取得し、
前記表示手段は、前記複数のコンテンツ広告対応情報に基づき、前記表示情報取得手段により取得した複数のコンテンツ表示情報と複数の広告表示情報とを対応させて表示することを特徴とする請求項１に記載のコンテンツ視聴機器。
【請求項３】
前記表示手段は、前記コンテンツ表示情報と前記広告表示情報をユーザが同時に視認できるように対応させて表示することを特徴とする請求項１に記載のコンテンツ視聴機器。
【請求項４】
前記広告選択処理手段は、前記表示手段により表示された広告がユーザにより選択されると、前記選択された広告を再生することを特徴とする請求項１に記載のコンテンツ視聴機器。
【請求項５】
他の機器と通信を行うことが可能な通信手段をさらに備える請求項１に記載のコンテンツ視聴機器。
【請求項６】
前記表示情報取得手段は、前記通信手段を用いて少なくとも前記コンテンツ表示情報または前記広告表示情報のうちの一つを取得することを特徴とする請求項５に記載のコンテンツ視聴機器。
【請求項７】
前記コンテンツ広告対応情報に含まれる広告識別データにより広告を特定し、特定した前記広告の広告対象情報を取得する広告対象情報取得手段をさらに備え、
前記広告選択処理手段は、前記表示手段により表示された広告がユーザにより選択されると、前記広告対象情報取得手段を用いて前記選択された広告の広告対象情報を取得して表示することを特徴とする請求項１に記載のコンテンツ視聴機器。
【請求項８】
他の機器と通信を行うことが可能な通信手段をさらに備え、前記広告対象情報取得手段は、前記通信手段を用いて前記広告対象情報を取得することを特徴とする請求項７に記載のコンテンツ視聴機器。
【請求項９】
ユーザ嗜好に基づいて広告表示情報をユーザに好適な順番に並べ替えて表示するプロファイル判断手段をさらに備え、
前記表示手段は、前記コンテンツ表示情報と前記広告表示情報とを対応させて表示する際に、前記プロファイル判断手段を用いて前記広告表示情報を並べ替えて表示することを特徴とする請求項１に記載のコンテンツ視聴機器。
【請求項１０】
前記広告は少なくとも動画データを含むことを特徴とする請求項１から９に記載のコンテンツ視聴機器。
【請求項１１】
コンテンツと広告とを対応して表示するコンテンツ視聴方法であって、
ユーザからコンテンツに対する表示要求を受け付けると、前記コンテンツと１または複数の広告を順次表示するコンテンツ視聴ステップと、
前記コンテンツ視聴手段による表示が行われると、前記コンテンツを特定するためのコンテンツ識別データと前記広告を特定するための広告識別データとを取得して、コンテンツ広告対応情報として保持する登録ステップと、
前記登録手段により保持されたコンテンツ広告対応情報に含まれるコンテンツ識別データによりコンテンツを特定し、特定したコンテンツのコンテンツ表示情報を取得するとともに、前記コンテンツ広告対応情報に含まれる広告識別データにより広告を特定し、特定した広告の広告表示情報を取得する表示情報取得ステップと、
前記表示情報取得手段で取得した前記コンテンツ表示情報と前記広告表示情報とを対応させて表示する表示ステップと、
前記表示手段により表示された広告がユーザにより選択されると、前記広告に関する情報表示を行う広告選択処理ステップとを含むコンテンツ視聴方法。
【請求項１２】
コンテンツと広告とを対応して表示するプログラムであって、
ユーザからコンテンツに対する表示要求を受け付けると、前記コンテンツと１または複数の広告を順次表示するコンテンツ視聴ステップと、
前記コンテンツ視聴手段による表示が行われると、前記コンテンツを特定するためのコンテンツ識別データと前記広告を特定するための広告識別データとを取得して、コンテンツ広告対応情報として保持する登録ステップと、
前記登録手段により保持されたコンテンツ広告対応情報に含まれるコンテンツ識別データによりコンテンツを特定し、特定したコンテンツのコンテンツ表示情報を取得するとともに、前記コンテンツ広告対応情報に含まれる広告識別データにより広告を特定し、特定した広告の広告表示情報を取得する表示情報取得ステップと、
前記表示情報取得手段で取得した前記コンテンツ表示情報と前記広告表示情報とを対応させて表示する表示ステップと、
前記表示手段により表示された広告がユーザにより選択されると、前記広告に関する情報表示を行う広告選択処理ステップとをコンピュータに実行させるためのプログラム。
【発明の詳細な説明】
【技術分野】
【０００１】
本発明は、コンテンツを視聴する機器にかかり、特に、コンテンツと広告を対応して表示する技術に関する。
【背景技術】
【０００２】
放送番組を録画する際に、ＣＭを自動的に削除して番組だけを録画するＤＶＤ／ＨＤＤレコーダがある。このレコーダを用いて録画番組を視聴する場合、ユーザは興味のないＣＭを視聴することなく、番組コンテンツのみを楽しむことが可能となる。
【０００３】
一方、放送番組の提供者である放送局は、制作した放送番組に特定商品やサービスの紹介や宣伝を行うためのＣＭを挿入することで、ＣＭ提供元であるスポンサーからスポンサー料を受け取り、それにより収益を確保して事業を行っている。
【０００４】
このため、前述のＤＶＤ／ＨＤＤレコーダによるＣＭ削除処理が広く行われるようになった場合、スポンサーはＣＭの広告効果を期待できないためにＣＭの提供を避けるようになると考えられる。これにより、スポンサー料が支払われないために放送局の収益が低下し、結果として質の高い番組提供が困難となってしまう懸念がある。
【０００５】
このような背景を元に、放送番組の間にＣＭを挿入する従来の放送広告モデルに対し、ＣＭを単純にカットさせることなく、ユーザごとに適したＣＭ提供を行うことやＣＭに対するユーザ利便性を向上させることで、ユーザと放送事業者双方がメリットを得られるようにするための提案がされている。
【０００６】
例えば、特許文献１では、ＣＭデータを記録再生装置にあらかじめ蓄積することで、ユーザは、番組の視聴と関係なく全ＣＭデータの中から興味のあるＣＭを探し出して選択的にＣＭを視聴し、また、ＣＭに紹介されている商品やサービスに関する詳しい情報にアクセスして購入・消費することができる方法が開示されている。
【０００７】
また、特許文献２や特許文献３では、番組情報に対応する広告情報を効果的に差し替えることで、ユーザに好適な広告情報を提供する方法が開示されている。
【特許文献１】特開２００２−２１８３７７号公報
【特許文献２】特開２００２−７７７４６号公報
【特許文献３】特開２００２−２４７４７１号公報
【発明の開示】
【発明が解決しようとする課題】
【０００８】
特許文献２や特許文献３で開示される方法を用いて提供された広告情報は、番組内容やユーザごとの嗜好に従ってユーザに対して好適となる。そのように好適となった広告情報が複数ある場合において、特許文献１に開示される方法を用いて広告に関連する情報を選択的に取得表示できれば、ユーザ利便性と広告効果向上の観点から非常に有用であると思われる。
【０００９】
しかしながら、特許文献１に開示される発明では、１または複数のコンテンツに対応した１または複数の広告情報の中から所望の広告情報を選択する方法は開示されておらず、複数の好適な広告情報の中から、ユーザが所望の広告情報をコンテンツの内容を参照して容易に選択する方法がない。
【課題を解決するための手段】
【００１０】
前記課題を解決するために、本発明のコンテンツ視聴機器は、ユーザからコンテンツに対する表示要求を受け付けると、前記コンテンツと１または複数の広告を順次表示するコンテンツ視聴手段と、前記コンテンツ視聴手段による再生が行われると、コンテンツを特定するためのコンテンツ識別データと広告を特定するための広告識別データとを取得して、コンテンツ広告対応情報として保持する登録手段と、前記登録手段により保持されたコンテンツ広告対応情報に含まれるコンテンツ識別データによりコンテンツを特定し、特定したコンテンツのコンテンツ表示情報を取得するとともに、前記コンテンツ広告対応情報に含まれる広告識別データにより広告を特定し、特定した広告の広告表示情報を取得する表示情報取得手段と、前記表示情報取得手段で取得した前記コンテンツ表示情報と前記広告表示情報とを対応させて表示する表示手段と、前記表示手段により表示された広告がユーザにより選択されると、前記広告に関する情報表示を行う広告選択処理手段を備えた構成としたことを特徴とする。
【００１１】
この構成によって、コンテンツと広告が対応して順次表示された場合に、表示されたコンテンツと広告を特定するための識別データをコンテンツ広告対応情報として一括りで保持し、また、登録されたコンテンツ広告対応情報に含まれる識別データによりコンテンツと対応する広告とを特定し、特定したコンテンツと広告の広告表示情報を取得して対応させて表示し、表示された広告がユーザにより選択されると、前記広告に関する情報表示を行うことが可能となる。
【発明の効果】
【００１２】
本発明のコンテンツ視聴機器によれば、ユーザは広告情報を含むコンテンツを視聴した後で、視聴した１または複数のコンテンツの各々に対応した１または複数の広告情報から視聴済み広告を、コンテンツの内容を参照して容易に選択することが可能となる。
【発明を実施するための最良の形態】
【００１３】
本発明のコンテンツ視聴機器は、ユーザからコンテンツに対する表示要求を受け付けると、前記コンテンツと１または複数の広告を順次表示するコンテンツ視聴手段と、前記コンテンツ視聴手段による再生が行われると、コンテンツを特定するためのコンテンツ識別データと広告を特定するための広告識別データとを取得して、コンテンツ広告対応情報として保持する登録手段と、前記登録手段により保持されたコンテンツ広告対応情報に含まれるコンテンツ識別データによりコンテンツを特定し、特定したコンテンツのコンテンツ表示情報を取得するとともに、前記コンテンツ広告対応情報に含まれる広告識別データにより広告を特定し、特定した広告の広告表示情報を取得する表示情報取得手段と、前記表示情報取得手段で取得した前記コンテンツ表示情報と前記広告表示情報とを対応させて表示する表示手段と、前記表示手段により表示された広告がユーザにより選択されると、前記広告に関する情報表示を行う広告選択処理手段を備えた構成としたことを特徴とする。
【００１４】
この構成によって、コンテンツと広告が対応して順次表示された場合に、表示されたコンテンツと広告を特定するための識別データをコンテンツ広告対応情報として一括りで保持し、また、登録されたコンテンツ広告対応情報に含まれる識別データによりコンテンツと対応する広告とを特定し、特定したコンテンツと広告の広告表示情報を取得して対応させて表示し、表示された広告がユーザにより選択されると、前記広告に関する情報表示を行うことが可能となる。
【００１５】
また、本発明のコンテンツ視聴機器は、さらに、他の機器と通信を行うことが可能な通信手段を備えた構成としても構わない。
【００１６】
この構成によって、コンテンツ表示情報と広告表示情報と広告対象情報は他の機器から取得することが可能となる。さらに、コンテンツ識別データや広告識別データを用いて、コンテンツや広告を表示するための情報が通信手段を介して他の機器から取得することにより、データを機器内部で保持する必要がなくなり蓄積データ量の削減になるとともに、コンテンツ表示情報や広告表示情報や広告対象情報を広告提供者が任意のタイミングで更新した場合でも、表示を行う際には更新された情報を用いて表示を行うことが可能になる。
【００１７】
また、コンテンツ識別データと広告識別データとが関連しているという情報を登録するため、１つの広告が複数コンテンツに関連付いている場合でも同じ広告データを複数保持する必要がなく、蓄積データ量の削減につながる。
【００１８】
以下、本発明を実施するための最良の形態について図面を参照しながら説明する。
【００１９】
（実施の形態１）
本発明の実施の形態１について、図１〜図１１を用いて説明する。
【００２０】
まず、図１〜図７を用いて、実施の形態１の構成について説明する。
【００２１】
図１は実施の形態１におけるコンテンツ視聴機器１の機能ブロックを示す図である。コンテンツとＣＭとを順次再生したことを記憶して、その後にそれらのコンテンツとＣＭを対応させて表示し、表示したＣＭをユーザが選択すると、選択されたＣＭの再生を行うコンテンツ視聴機器１についての構成を表している。
【００２２】
コンテンツ視聴機器１は、コンテンツとＣＭを対応させて表示する機器であり、例えばハードディスクレコーダである。コンテンツ視聴機器１は、入力部１１と、表示部１２と、再生制御部１３と、コンテンツデータ蓄積部１４と、ＣＭデータ蓄積部１５と、コンテンツＣＭ対応情報蓄積部１６と、コンテンツＣＭ表示制御部１７と、表示情報取得部１８と、画面表示情報蓄積部１９と、コンテンツ表示情報蓄積部２０と、ＣＭ表示情報蓄積部２１と、ＣＭ選択制御部２２とを備える。ここでは本発明における特徴的な構成部についてのみ説明する。
【００２３】
入力部１１は、ユーザがコンテンツ視聴機器１に対して、指示や選択などを入力するためのボタン等である。ユーザからのコンテンツ再生要求等を受け付けて対応する機能を実現する機能ブロックに要求を伝える。
【００２４】
表示部１２は、コンテンツやＣＭの再生画面を表示したり、指示の入力のためのＧＵＩ（Ｇｒａｐｈｉｃａｌ  Ｕｓｅｒ  Ｉｎｔｅｒｆａｃｅ）をユーザに提供するための液晶画面などである。
【００２５】
再生制御部１３は、コンテンツやＣＭのＩＤを受け付けて再生を行う処理部である。入力部１１からコンテンツのＩＤを受け付けた場合、該当するコンテンツと、ＣＭを順次再生する。ＣＭ選択制御部２２からＣＭのＩＤを受け付けた場合、受け付けたＣＭのみを再生する。
【００２６】
コンテンツとＣＭを順次再生する場合、入力部１１からコンテンツのＩＤを含む再生要求を受け付け、コンテンツデータ蓄積部１４とＣＭデータ蓄積部１５からデータを取得して、再生画面を表示部１２に表示するとともに、コンテンツとＣＭの対応情報をコンテンツＣＭ対応情報蓄積部１６に登録する。
【００２７】
ＣＭのみを再生する場合、入力部１１からＣＭのＩＤを含む再生要求を受け付け、ＣＭデータ蓄積部１５からデータを取得して、再生画面を表示部１２に表示する。
【００２８】
コンテンツデータ蓄積部１４は、コンテンツ視聴機器１で視聴するコンテンツデータを蓄積するための記憶装置である。コンテンツデータ蓄積部１４に蓄積されるコンテンツデータ１０１について図２に示す。コンテンツデータは、コンテンツＩＤ１０１ａと、ビデオデータ１０１ｂからなる。コンテンツＩＤ１０１ａは、少なくともコンテンツ視聴機器１と表示情報サーバ３においてコンテンツを識別することが可能なようにコンテンツごとに設定されたユニークな値となっている。ビデオデータ１０１ｂは記憶装置上に配置された動画データの格納場所を示す。
【００２９】
なお、簡単のため、以下「コンテンツ１」と記載した場合は、「コンテンツＩＤが“ＣＩＤ１”であるコンテンツ」をさすものとし、他のコンテンツについても同様に表記する。
【００３０】
ＣＭデータ蓄積部１５は、コンテンツ視聴機器１で視聴するＣＭデータを蓄積するための記憶装置である。ＣＭデータ蓄積部１５に蓄積されるＣＭデータ１０２について図３に示す。ＣＭデータ１０２は、ＣＭＩＤ１０２ａと、ビデオデータ１０２ｂからなる。ＣＭＩＤ１０２ａは、少なくともコンテンツ視聴機器１と表示情報サーバ３においてＣＭを識別することが可能なようにＣＭごとに設定されたユニークな値となっている。ビデオデータ１０２ｂは記憶装置上に配置された動画データの格納場所を示す。
【００３１】
なお、簡単のため、以下「ＣＭ１」と記載した場合は、「ＣＭＩＤが“ＭＩＤ１”であるＣＭ」をさすものとし、他のＣＭについても同様に表記する。
【００３２】
コンテンツＣＭ対応情報蓄積部１６は、再生制御部１３により順次再生されたコンテンツとＣＭとの対応を示すコンテンツＣＭ対応情報を登録する記録装置である。蓄積されるコンテンツＣＭ対応情報１０３の一例について図４に示す。コンテンツＣＭ対応情報１０３は、再生されたコンテンツのコンテンツＩＤ１０３ａと、再生されたコンテンツに対応して再生されたＣＭを示すＣＭＩＤ１０３ｂからなる。再生制御部１３によりコンテンツが再生されると、コンテンツＣＭ対応情報蓄積部１６は再生されたコンテンツとＣＭのＩＤを対応させて蓄積する。
【００３３】
コンテンツＣＭ表示制御部１７は、コンテンツとＣＭを対応して表示する処理部である。入力部１１からのコンテンツＣＭ表示要求を受け付けると、表示情報取得部１８からコンテンツとＣＭを表示部１２に表示する際に用いる表示情報を含んだ画面表示情報１０４を取得する。取得した画面表示情報１０４に基づいてコンテンツとＣＭの表示情報を表示部１２に表示するとともに、画面表示情報１０４を画面表示情報蓄積部１９に登録する。画面表示情報１０４については後述する。
【００３４】
表示情報取得部１８は、コンテンツとＣＭを表示部１２に表示する際に用いる表示情報を取得する処理部である。コンテンツＣＭ表示制御部１７からの要求を受け付けると、コンテンツＣＭ対応情報蓄積部１６を参照し、表示情報を取得する必要があるコンテンツおよびＣＭを決定する。次に、コンテンツ表示情報蓄積部２０から必要なコンテンツ表示情報を取得し、ＣＭ表示情報蓄積部２１から必要なＣＭ表示情報を取得する。そして、取得したコンテンツ表示情報およびＣＭ表示情報から画面表示情報１０４を作成して、コンテンツＣＭ表示制御部１７に返す。
【００３５】
画面表示情報蓄積部１９は、コンテンツＣＭ表示制御部１７から画面表示情報１０４を受け付けて登録する記憶装置である。
【００３６】
コンテンツ表示情報蓄積部２０は、コンテンツを表示部１２に表示する際に用いるコンテンツ表示情報を登録する記憶装置である。本実施の形態において登録されているコンテンツ表示情報１０５について図５に示す。コンテンツ表示情報１０５は、コンテンツを特定するためのコンテンツＩＤ１０５ａと、コンテンツタイトル１０５ｂと、コンテンツサムネイル１０５ｃからなる。コンテンツタイトル１０５ｂはコンテンツの内容を示すタイトルであり、コンテンツサムネイル１０５ｃは、ユーザがコンテンツの内容を確認できるように表示部１２に表示する画像データである。
【００３７】
ＣＭ表示情報蓄積部２１は、ＣＭを表示部１２に表示する際に用いるＣＭ表示情報を登録する記憶装置である。本実施の形態において登録されているＣＭ表示情報１０６について図６に示す。ＣＭ表示情報１０６は、ＣＭを特定するためのコンテンツＩＤ１０６ａと、ＣＭタイトル１０６ｂと、ＣＭサムネイル１０６ｃからなる。ＣＭタイトル１０６ｂはＣＭの内容を示すタイトルであり、サムネイル画像データ１０６ｃは、ユーザがＣＭの内容を確認できるように表示部１２に表示する画像データである。
【００３８】
ＣＭ選択制御部２２は、コンテンツと対応して表示されたＣＭのサムネイルが選択されると、選択されたＣＭのビデオデータを再生する処理部である。入力部１１からサムネイルが選択通知を受け付けると、画面表示情報蓄積部１９を参照して選択されたサムネイルから選択されたＣＭのＣＭＩＤを特定する。そして、再生制御部１３に対して、特定したＣＭのＩＤを渡す。これにより特定したＣＭの再生が行われる。
【００３９】
画面表示情報１０４について図７に示す。画面表示情報１０４は、コンテンツＣＭ対応情報１０３が保持する情報に加えて、コンテンツ表示情報１０５およびＣＭ表示情報１０６の画面表示用に必要なエントリに対する参照情報により構成され、表示するコンテンツの表示情報１０４ａと、コンテンツに対応して１番目に表示するＣＭ表示情報１０４ｂと、コンテンツに対応して２番目に表示するＣＭ表示情報１０４ｃからなる。表示するコンテンツの表示情報１０４ａはコンテンツ表示情報１０５のエントリの先頭アドレスが設定される。同様に、ＣＭの表示情報１０４ｂおよび１０４ｃはＣＭ表示情報１０６のエントリの先頭アドレスが設定される。
【００４０】
次に、図８〜図１１を用いて、実施の形態１の動作について説明する。
【００４１】
図８は、ユーザからのコンテンツ再生要求を受け付けて、コンテンツとＣＭを順次再生する処理シーケンスである。
【００４２】
ここでは再生するコンテンツはコンテンツ１であり、コンテンツ１に対応して再生されるＣＭはＣＭ１およびＣＭ２である場合の処理シーケンスについて説明する。
【００４３】
なお、この処理シーケンスの開始時には、コンテンツＣＭ対応情報蓄積部１６には何も登録されていないものとする。
【００４４】
ユーザは入力部１１を用いて、コンテンツデータ蓄積部１４に蓄積されているタイトルが“昼のニュース”で示されるコンテンツ１の再生を要求する（Ｓ１０１）。
【００４５】
再生制御部１３は、入力部１１からのコンテンツ再生要求（Ｓ１０１）を受け付けると、再生するコンテンツにあわせて順次再生する対応ＣＭを、ＣＭ１とＣＭ２に設定する（Ｓ１０２）。コンテンツデータ蓄積部１４から、コンテンツ１のコンテンツ１ビデオデータを取得し（Ｓ１０３）、次にＣＭデータ蓄積部１５からＣＭ１のＣＭ１ビデオデータとＣＭ２のＣＭ２ビデオデータを取得する（Ｓ１０４）。
【００４６】
そして、再生制御部１３は、取得したコンテンツ１ビデオデータとＣＭ１ビデオデータとＣＭ２ビデオデータを再生して表示部１２に再生表示する（Ｓ１０５）とともに、コンテンツＣＭ対応情報蓄積部１６に、「コンテンツＩＤ」が“ＣＩＤ１”で「対応ＣＭＩＤ」が“ＭＩＤ１”“ＭＩＤ２”であるエントリ情報を登録する（Ｓ１０６）。
【００４７】
上述の処理シーケンスにより、ユーザが意識することなく、ユーザが再生したコンテンツとそのコンテンツに対応するＣＭの対応関係を登録することができる。
【００４８】
図９は、ユーザからのコンテンツＣＭ対応表示要求を受け付けて、再生したコンテンツとそのコンテンツと順次再生されたＣＭを対応させて表示する処理シーケンスである。
【００４９】
なお、この処理シーケンスの開始時には、図４に示したコンテンツＣＭ対応情報１０３がコンテンツＣＭ対応情報蓄積部１６に登録されているものとする。
【００５０】
ユーザは入力部１１を用いて、コンテンツＣＭ表示要求する（Ｓ２０１）。
【００５１】
コンテンツＣＭ表示制御部１７は、入力部１１からのコンテンツＣＭ表示要求（Ｓ２０１）を受け付けると、表示情報取得部１８に対して表示情報要求する（Ｓ２０２）。
【００５２】
表示情報取得部１８は、表示情報要求（Ｓ２０２）を受け取ると、コンテンツＣＭ対応情報蓄積部１６に蓄積されているコンテンツＣＭ対応情報１０３を取得する（Ｓ２０３）。そして、コンテンツＣＭ対応情報１０３を参照し、表示情報を取得するコンテンツおよびＣＭを決定する（Ｓ２０４）。ここでは、コンテンツＣＭ対応情報１０３に登録されているコンテンツＩＤである“ＣＩＤ１”と“ＣＩＤ３”と、対応するＣＭＩＤである“ＭＩＤ１”と“ＭＩＤ２”と“ＭＩＤ３”の取得を決定する。
【００５３】
続いて、表示情報取得部１８は、コンテンツ表示情報蓄積部２０から、コンテンツＩＤが“ＣＩＤ１”と“ＣＩＤ３”であるコンテンツ表示情報のエントリの先頭アドレスを取得し（Ｓ２０５）、ＣＭ表示情報蓄積部２１から、ＣＭＩＤが“ＭＩＤ１”と“ＭＩＤ２”と“ＭＩＤ３”であるＣＭ表示情報のエントリの先頭アドレスを取得する（Ｓ２０６）。
【００５４】
そして、表示情報取得部１８は、コンテンツＣＭ対応情報１０３と、前ステップ（Ｓ２０５、Ｓ２０６）で取得した各表示情報のエントリの先頭アドレスから、画面表示情報１０４を生成する（Ｓ２０７）。この際、対応するＣＭがない場合は「なし」を設定する。そして、画面表示情報１０４をコンテンツＣＭ表示制御部１７に応答する（Ｓ２０８）。
【００５５】
コンテンツＣＭ表示制御部１７は、表示情報取得部１８から取得した画面表示情報１０４に基づき、表示部１２に対してコンテンツＣＭ対応画面を表示する（Ｓ２０９）とともに、画面表示情報蓄積部１９に、画面表示情報１０４を登録する（Ｓ２１０）。
【００５６】
ここで、前ステップＳ２０９で表示されるコンテンツＣＭ対応画面について図１０に示す。図１０では、以前に再生されたコンテンツ１とコンテンツ２と、それらに対応して再生されたＣＭ１、ＣＭ２、ＣＭ３を対応付けて表示している。コンテンツの表示はコンテンツタイトルとコンテンツサムネイルで構成され、ＣＭの表示はＣＭタイトルとＣＭサムネイルで構成される。表示部１２の左側にコンテンツを表示し、その右隣に対応して順次再生されたＣＭを１番目に表示するＣＭ表示情報１０４ｂ、２番目に表示するＣＭ表示情報１０４ｃの順で表示する。また、画面表示情報１０４が複数のエントリ（列）で構成されている場合、即ち、再生されたコンテンツが複数ある場合は、上位エントリ（列）から順番に表示部１２に表示する。
【００５７】
ここでは、左上にコンテンツ１の表示１０７ａ、中上にＣＭ１の表示１０７ｂ、右上にＣＭ２の表示１０７ｃ、左下にコンテンツ３の表示１０７ｄ、中下にＣＭ３の表示１０７ｅを表示する。右下は対応するＣＭがないため何も表示しない。
【００５８】
上述の処理シーケンスにより、図１０に示したＧＵＩでコンテンツとそのコンテンツに対応して再生されたＣＭを一覧表示することができるので、ユーザは再生したコンテンツやＣＭを容易に確認することが可能になる。また、その表示に使用されるコンテンツおよびＣＭの表示情報を参照するためのデータを登録することで、コンテンツおよびＣＭの表示情報を保持することができる。
【００５９】
図１１は、ユーザからのＣＭ選択要求を受け付けて、選択されたＣＭを再生する処理シーケンスである。
【００６０】
なお、この処理シーケンスの開始時には、コンテンツＣＭ対応画面表示ステップＳ２０９で表示部１２に表示された図１０で示す画面が表示され、また、図７に示した画面表示情報１０４が画面表示情報蓄積部１９に登録されているものとする。
【００６１】
ユーザは、入力部１１を用いて、表示部１２に表示されているＣＭ２の表示１０７ｆを選択する。入力部１１は、ＣＭ選択制御部２２に対して、ＣＭ２の表示１０７ｆが選択されたというＣＭ２表示選択情報を通知する（Ｓ３０１）。
【００６２】
ＣＭ選択制御部２２は、入力部１１からＣＭ２表示選択情報を受け付けると、画面表示情報蓄積部１９に登録されている画面表示情報１０４を取得する（Ｓ３０２）。そして、ＣＭ選択制御部２２は、ＣＭ２表示選択情報に基づき画面表示情報１０４を参照して、選択されたＣＭのＣＭＩＤを特定する（Ｓ３０３）。ここでは、ＣＭ２が選択されたので、ＣＭＩＤは“ＭＩＤ２”と特定される。
【００６３】
ＣＭ選択制御部２２は、再生制御部１３に対してＣＭ２のＣＭＩＤである“ＭＩＤ２”を送信してＣＭ再生を要求する（Ｓ３０４）。
【００６４】
再生制御部１３は、ＣＭ選択制御部２２からのＣＭ再生要求（Ｓ３０４）を受け付けると、ＣＭデータ蓄積部１５からＣＭ２のＣＭ２ビデオデータを取得する（Ｓ３０５）。そして、再生制御部１３は、取得したＣＭ２ビデオデータを再生して表示部１２に再生表示する（Ｓ３０６）。
【００６５】
上述の処理シーケンスにより、図１０に示したＧＵＩで一覧表示されたコンテンツに対応して再生されたＣＭを選択して、再生を行うことが可能になる。
【００６６】
以上から、本実施の形態によれば、コンテンツと広告が対応して順次再生された際のコンテンツＩＤとＣＭＩＤをコンテンツＣＭ対応情報として一括りで登録し、その後、登録されているコンテンツＣＭ対応情報からコンテンツと対応するＣＭの表示情報を取得して対応表示し、表示されたＣＭをユーザが選択すると、選択したＣＭの再生を行うことができる。
【００６７】
これにより、ユーザは、ＣＭが順次再生されるコンテンツを視聴すると、視聴した複数のコンテンツに対応している複数のＣＭについての情報を一覧して参照できるとともに、表示されたＣＭを容易に選択再生することが可能となる。
【００６８】
また、同じＣＭが複数コンテンツに関連付いている場合でも、同じＣＭデータを複数保持せず、コンテンツＩＤとＣＭＩＤからなるコンテンツＣＭ対応情報を登録するため、同じＣＭデータを複数もつ場合に比べて保持するデータ量が削減されることになる。
【００６９】
（実施の形態２）
本発明の実施の形態２について、図１２〜図２１を用いて説明する。
【００７０】
まず、図１２〜図１６を用いて、実施の形態２の構成について説明する。
【００７１】
図１２は実施の形態２のコンテンツ視聴機器２と表示情報サーバ３の構成を示す図である。
【００７２】
図１２ではコンテンツとＣＭとを順次再生したことを記憶して、その後にそれらのコンテンツとＣＭを対応させて表示し、ユーザが表示したＣＭを選択するとＣＭが宣伝対象としている商品に関する情報を表示するコンテンツ視聴機器２と、コンテンツとＣＭを対応させて画面に表示するための表示情報および商品に関する情報を保持している表示情報サーバ３からなる構成を説明する。
【００７３】
図１２に示すように、実施の形態２は、インターネット４と、インターネット４に接続されるコンテンツ視聴機器２および表示情報サーバ３から構成される。
【００７４】
ここで、コンテンツ視聴機器２および表示情報サーバ３については、本発明における特徴的な構成部のみ説明する。
【００７５】
コンテンツ視聴機器２は、コンテンツとＣＭを対応させて表示する機器であり、例えばハードディスクレコーダである。コンテンツ視聴機器２は、入力部１１と、表示部１２と、再生制御部１３と、コンテンツデータ蓄積部１４と、ＣＭデータ蓄積部１５と、コンテンツＣＭ対応情報蓄積部１６と、画面表示情報蓄積部１９と、コンテンツＣＭ表示制御部３０と、表示情報取得部３１と、プロファイル判断部３２と、端末通信部３３と、プロファイルデータ蓄積部３４と、ＣＭ選択制御部３５と、商品情報取得部３６とを備える。
【００７６】
コンテンツ視聴機器２が備える、入力部１１と、表示部１２と、再生制御部１３と、コンテンツデータ蓄積部１４と、ＣＭデータ蓄積部１５と、コンテンツＣＭ対応情報蓄積部１６と、画面表示情報蓄積部１９は実施の形態１で説明したものと同様である。
【００７７】
コンテンツＣＭ表示制御部３０は、コンテンツとＣＭを対応して表示する処理部である。入力部１１からのコンテンツＣＭ表示要求を受け付けると、表示情報取得部３１からコンテンツとＣＭを表示部１２に表示する際に用いる表示情報を含んだ画面表示情報１０８を取得する。次に、プロファイル判断部３２を用いて、取得した画面表示情報１０８に含まれるコンテンツに対応させて表示するＣＭの表示順をユーザに適した順番に並べ替えて、ソート後画面表示情報１０９とし、取得したソート後画面表示情報１０９に基づいてコンテンツとＣＭの表示情報を表示部１２に表示するとともに、ソート後画面表示情報１０９を画面表示情報蓄積部１９に登録する。
【００７８】
画面表示情報１０８とソート後画面表示情報１０９については後述する。
【００７９】
表示情報取得部３１は、コンテンツとＣＭを表示部１２に表示する際に用いる表示情報を取得する処理部である。コンテンツＣＭ表示制御部１７からの要求を受け付けると、コンテンツＣＭ対応情報蓄積部１６を参照し、表示情報を取得する必要があるコンテンツおよびＣＭを決定する。そして、端末通信部３３を用いて、表示情報サーバ３に対して表示情報を取得するコンテンツのコンテンツＩＤおよびＣＭのＣＭＩＤを送信し、表示情報サーバ３からコンテンツおよびＣＭの表示情報を受信する。受信した表示情報を画面表示情報１０８とし、画面表示情報１０８をコンテンツＣＭ表示制御部３０に渡す。
【００８０】
プロファイル判断部３２は、ユーザの嗜好や行動履歴を記述したプロファイルデータに基づいて、ＣＭの表示順を並べ替える処理部である。コンテンツＣＭ表示制御部３０から画面表示情報１０８を受け取ると、プロファイルデータ蓄積部３４からユーザの嗜好や行動履歴を記述したプロファイルデータを取得し、取得したプロファイルデータに基づいて、画面表示情報１０８に含まれるコンテンツに対応して表示するＣＭの順番を並べ替えて、画面表示情報１０８からソート後画面表示情報１０９を生成する。そして、生成したソート後画面表示情報１０９をコンテンツＣＭ表示制御部３０に渡す。
【００８１】
端末通信部３３は、表示情報取得部３１や商品情報取得部インターネット４を介して表示情報サーバ３のサーバ通信部３７と通信を行う処理部である。なお、コンテンツ視聴機器２と表示情報サーバ３は通信プロトコルとしてＴＣＰ／ＩＰを用いて通信を行い、サーバ通信部３７との通信に必要なＩＰアドレス等の設定はあらかじめ完了しているものとする。
【００８２】
プロファイルデータ蓄積部３４は、ユーザの嗜好や行動履歴を記述したプロファイルデータを記憶している記憶装置である。図１３に本実施の形態において登録されているプロファイルデータ１０９の構成を示す。プロファイルデータ１０９は、プロファイル名１０９ａと、プロファイル値１０９ｂからなる。プロファイル名１０９ａは、ユーザの嗜好や行動特性を示すパラメータの種類であり、例えば「好きなスポーツ」や「購入した商品の履歴」などである。プロファイル値１０９ｂは、プロファイル名１０９ａに対応する値であり、例えば、プロファイル名が「好きなスポーツ」の場合は「“ゴルフ”」、プロファイル名が「購入履歴」の場合は「“ゴルフボール”」などが設定される。
【００８３】
ＣＭ選択制御部３５は、コンテンツと対応して表示されたＣＭのサムネイルが選択されると、商品情報取得部３６を用いて選択されたＣＭが宣伝する商品情報を取得し、取得した商品情報を表示部１２に表示する処理部である。
【００８４】
表示情報サーバ３は、コンテンツ視聴機器２がコンテンツとＣＭを対応させて表示する際に用いる表示情報やＣＭを選択した際に表示する商品情報を保持している機器であり、例えばインターネットに接続されたＷｅｂサーバである。表示情報サーバ３は、サーバ通信部３７と、コンテンツ表示情報蓄積部３８と、ＣＭ表示情報蓄積部３９と、商品情報蓄積部４０とを備える。
【００８５】
表示情報サーバ３が備える、コンテンツ表示情報蓄積部３８と、ＣＭ表示情報蓄積部３９は実施の形態１で説明したものと同様である。
【００８６】
サーバ通信部３７は、インターネット４を介して、端末通信部３３から表示情報問い合わせおよび商品情報問い合わせを受け付ける。コンテンツＩＤおよびＣＭＩＤが含まれる表示情報問い合わせを受け付けると、含まれたコンテンツＩＤに基づきコンテンツ表示情報蓄積部３８から該当するコンテンツ表示情報を取得し、含まれたＣＭＩＤに基づきＣＭ表示情報蓄積部３９から該当するＣＭ表示情報を取得し、取得した表示情報を返す。また、ＣＭＩＤが含まれる商品情報問い合わせを受け付けると、含まれたＣＭＩＤに基づき商品情報蓄積部４０から該当する商品情報を取得し、取得した商品情報を返す。
【００８７】
商品情報蓄積部４０は、ＣＭが宣伝する商品に関する情報を保持している記憶装置である。図１４に、本実施の形態において登録されている商品情報１１０を示す。商品情報１１０は、商品を宣伝しているＣＭのＣＭＩＤ１１０ａと、商品名１１０ｂと、スポンサー名１１０ｃと、商品ジャンル１１０ｄと、商品紹介を行っているインターネットに接続されているサイトのＵＲＬ１１０ｅからなる。
【００８８】
画面表示情報１０８について図１５を用いて説明する。画面表示情報１０８は、コンテンツとＣＭの対応情報１０８１と、コンテンツの表示情報１０８２と、ＣＭの表示情報１０８３からなり、対応情報１０８１は表示するコンテンツの表示情報１０８１ａと、コンテンツに対応して１番目に表示するＣＭ表示情報１０８１ｂと、コンテンツに対応して２番目に表示するＣＭ表示情報１０８１ｃからなる。コンテンツの表示情報１０８２は、コンテンツ表示情報蓄積部３８から取得したデータからなる。また、ＣＭの表示情報１０８３は、ＣＭ表示情報蓄積部３９から取得したデータからなる。表示するコンテンツ表示情報１０８１ａには、コンテンツの表示情報１０８２の対応するエントリの先頭アドレスが設定され、１番目に表示するＣＭ表示情報１０８１ｂおよび２番目に表示するＣＭ表示情報１０８１ｃはＣＭ表示情報１０８３の対応するエントリの先頭アドレスが設定される。
【００８９】
次に、ソート後画面表示情報１０９について図１６を用いて説明する。ソート後画面表示情報１０９は画面表示情報１０８と同様に構成されるが、画面表示情報１０８に対して、コンテンツとＣＭの対応情報１０８１が変更され、コンテンツとＣＭの対応情報１０９１となる。
【００９０】
ソート後画面表示情報１０９では、プロファイル判断部３２の処理により、コンテンツとＣＭの対応情報１０９１のエントリ１０９１ａのＣＭ表示情報の順番が並べ替えられて、１番目に表示するＣＭ表示情報がＣＭ２、２番目に表示するＣＭ表示情報がＣＭ１とされている。
【００９１】
次に、図１７〜図２０を用いて、実施の形態２の動作について説明する。
【００９２】
図１７と図１８は、ユーザからのコンテンツＣＭ対応表示要求を受け付けて、再生したコンテンツとそのコンテンツと順次再生されたＣＭを対応させて表示し、その際、ユーザの嗜好にあうと考えられるＣＭをユーザが認識しやすいように並べ替えて表示する処理シーケンスである。
【００９３】
なお、この処理シーケンスの開始時には、実施の形態１で示したコンテンツＣＭ対応情報１０３がコンテンツＣＭ対応情報蓄積部１６に登録されているものとする。
【００９４】
ユーザは入力部１１を用いて、コンテンツＣＭ表示要求する（Ｓ５０１）。
【００９５】
コンテンツＣＭ表示制御部３０は、入力部１１からのコンテンツＣＭ表示要求（Ｓ５０１）を受け付けると、表示情報取得部３１に対して表示情報要求する（Ｓ５０２）。
【００９６】
表示情報取得部３１は、表示情報要求（Ｓ５０２）を受け取ると、コンテンツＣＭ対応情報蓄積部１６に蓄積されているコンテンツＣＭ対応情報１０３を取得する（Ｓ５０３）。そして、コンテンツＣＭ対応情報１０３を参照し、表示情報を取得するコンテンツおよびＣＭを決定する（Ｓ５０４）。ここでは、コンテンツＣＭ対応情報１０３に登録されているコンテンツＩＤである“ＣＩＤ１”と“ＣＩＤ３”と、対応するＣＭＩＤである“ＭＩＤ１”と“ＭＩＤ２”と“ＭＩＤ３”の取得を決定する。
【００９７】
次に、表示情報取得部３１は、端末通信部３３に対して“ＣＩＤ１”と“ＣＩＤ３”と“ＭＩＤ１”と“ＭＩＤ２”と“ＭＩＤ３”を含む表示情報要求を依頼する（Ｓ５０５）。
【００９８】
端末通信部３３は、表示情報取得部３１から表示情報要求を受け取ると、インターネット４を介して、サーバ通信部３７に“ＣＩＤ１”と“ＣＩＤ３”と“ＭＩＤ１”と“ＭＩＤ２”と“ＭＩＤ３”を含む表示情報の問い合わせを行う（Ｓ５０６）。
【００９９】
サーバ通信部３７は、端末通信部３３から“ＣＩＤ１”と“ＣＩＤ３”と“ＭＩＤ１”と“ＭＩＤ２”と“ＭＩＤ３”を含む表示情報の問い合わせを受け付けると、コンテンツ表示情報蓄積部３８から、コンテンツＩＤが“ＣＩＤ１”と“ＣＩＤ３”であるコンテンツ表示情報を取得し（Ｓ５０７）、ＣＭ表示情報蓄積部３９から、ＣＭＩＤが“ＭＩＤ１”と“ＭＩＤ２”と“ＭＩＤ３”であるＣＭ表示情報を取得する（Ｓ５０８）。そして、コンテンツ１とコンテンツ３のコンテンツ表示情報と、ＣＭ１とＣＭ２とＣＭ３のＣＭ表示情報を表示情報問い合わせに対する応答として端末通信部３３に送信する（Ｓ５０９）。
【０１００】
端末通信部３３は、サーバ通信部３７から表示情報問い合わせ（Ｓ５０６）の応答（Ｓ５０９）を受け取ると、応答（Ｓ５０９）に含まれているコンテンツ１とコンテンツ３のコンテンツ表示情報と、ＣＭ１とＣＭ２とＣＭ３のＣＭ表示情報を表示情報取得部３１に渡す（Ｓ５１０）。
【０１０１】
表示情報取得部３１は、コンテンツＣＭ対応情報１０３と、前ステップ（Ｓ５１０）で端末通信部３３から取得した表示情報から、画面表示情報１０８を生成する（Ｓ５１１）。この際、対応するＣＭがない場合は「なし」を設定する。そして、画面表示情報１０８をコンテンツＣＭ表示制御部３０に応答する（Ｓ５１２）。
【０１０２】
コンテンツＣＭ表示制御部３０は、表示情報取得部３１から画面表示情報１０８を受け取ると、プロファイル判断部３２に対して画面表示情報１０８を含むＣＭ表示順ソート要求を行い、ＣＭ表示順の並べ替えを要求する（Ｓ５１３）。
【０１０３】
プロファイル判断部３２は、プロファイルデータ蓄積部３４からプロファイルデータ１０９を取得し（Ｓ５１４）、コンテンツＣＭ表示制御部３０から受け取った画面表示情報１０８のＣＭ表示順を並べ替える（Ｓ５１５）。
【０１０４】
ここでは、コンテンツ１について、対応するＣＭであるＣＭ１とＣＭ２のコンテンツタイトルを比較し、好きなスポーツが“ゴルフ”であるユーザにとっては、ＣＭ２の「ドライバー」の方がＣＭ１の「コーヒー」よりも適していると判断し、１番目に表示するＣＭ表示情報をＣＭ２の表示情報、２番目に表示するＣＭ表示情報をＣＭ１の表示情報とする。
【０１０５】
その後、プロファイル判断部３２は、ソート結果をソート後画面表示情報１０９として、コンテンツＣＭ表示制御部３０に返す（Ｓ５１６）。
【０１０６】
コンテンツＣＭ表示制御部３０は、プロファイル判断部３２から取得したソート後画面表示情報１０９に基づき、表示部１２に対してコンテンツＣＭ対応画面を表示する（Ｓ５１７）とともに、画面表示情報蓄積部１９に、ソート後画面表示情報１０９を登録する（Ｓ５１８）。
【０１０７】
ここで、前ステップＳ５１７で表示されるコンテンツＣＭ対応画面について図１９に示す。図１９の構成は図１０と同様であるが、図１０では中上にＣＭ１の表示１０７ｂ、右上にＣＭ２の表示１０７ｃとされていたものが、図１９では中上にＣＭ２の表示１１１ｂ、右上にＣＭ１の表示１１１ｃとなっている。
【０１０８】
以上により、プロファイルデータ１０９を用いることで、ユーザに対して、ユーザの嗜好にそったＣＭがより容易に提示可能となる。
【０１０９】
図２０は、ユーザからのＣＭ選択要求を受け付けて、選択されたＣＭの宣伝している商品情報を表示する処理シーケンスである。
【０１１０】
なお、この処理シーケンスの開始時には、コンテンツＣＭ対応画面表示ステップＳ５１７で表示部１２に表示された図１９で示す画面が表示され、また、図１６に示したソート後画面表示情報１０９が画面表示情報蓄積部１９に登録されているものとする。
【０１１１】
ユーザは、入力部１１を用いて、表示部１２に表示されているＣＭ３の表示１１１ｅを選択する。入力部１１は、ＣＭ選択制御部３５に対して、ＣＭ３の表示１１１ｅが選択されたというＣＭ３表示選択情報を通知する（Ｓ６０１）。
【０１１２】
ＣＭ選択制御部３５は、入力部１１からＣＭ３表示選択情報を受け付けると、画面表示情報蓄積部１９に登録されているソート後画面表示情報１０９を取得する（Ｓ６０２）。ＣＭ選択制御部３５は、ＣＭ３表示選択情報に基づきソート後画面表示情報１０９を参照して、選択されたＣＭのＣＭＩＤを特定する（Ｓ６０３）。ここでは、ＣＭ３が選択されたので、ＣＭＩＤは“ＭＩＤ３”と特定される。
【０１１３】
ＣＭ選択制御部３５は、商品情報取得部３６に対して、“ＭＩＤ３”を含む商品情報要求を行う（Ｓ６０４）。
【０１１４】
商品情報取得部３６は、端末通信部３３に対して“ＭＩＤ３”を含む商品情報要求を依頼する（Ｓ６０５）。
【０１１５】
端末通信部３３は、商品情報取得部３６から商品情報要求を受け取ると、インターネット４を介して、サーバ通信部３７に“ＭＩＤ３”を含む商品情報の問い合わせを行う（Ｓ６０６）。
【０１１６】
サーバ通信部３７は、端末通信部３３から“ＭＩＤ３”を含む表示情報の問い合わせを受け付けると、商品情報蓄積部４０から、ＣＭＩＤが“ＭＩＤ３”である商品情報を取得する（Ｓ６０７）。そして、ＣＭ３の商品情報を商品情報問い合わせに対する応答として端末通信部３３に送信する（Ｓ６０８）。
【０１１７】
端末通信部３３は、サーバ通信部３７から商品情報問い合わせ（Ｓ６０６）の応答（Ｓ６０８）を受け取ると、応答（Ｓ６０８）に含まれているＣＭ３の商品情報を商品情報取得部３６に渡す（Ｓ６０９）。
【０１１８】
商品情報取得部３６は、端末通信部３３からＣＭ３の商品情報を受け取ると、ＣＭ選択制御部３５に対してＣＭ３の商品情報を返す（Ｓ６１０）。
【０１１９】
ＣＭ選択制御部３５は、表示部１２にＣＭ３の商品情報を表示する（Ｓ６１１）。
【０１２０】
図２１に前ステップＳ６１１で表示される表示画面を示す。図２１で示される画面は、ＣＭ３に関して、サムネイルを表示する領域１１２ａと、ＣＭタイトルを表示する領域１１２ｂと、商品名を表示する領域１１２ｃと、メーカ名を表示する領域１１２ｄと、商品ジャンルを表示する領域１１２ｅと、選択すると商品を紹介するサイトを表示するボタン１１２ｆから構成される。ユーザがボタン１１２ｆを選択すると、商品情報に含まれる商品紹介ＵＲＬに登録されているＵＲＬ先の情報を表示することが可能である。
【０１２１】
この画面により、ユーザは商品名や、メーカ名などのＣＭに関する商品情報を簡単に閲覧できるとともに、興味があれば商品紹介ＵＲＬから追加の情報を取得することが可能である。
【０１２２】
以上から、本実施の形態によれば、登録されているコンテンツＣＭ対応情報を参照して、コンテンツとコンテンツに対応するＣＭの表示情報を他の機器から取得し、ユーザの嗜好にそった表示順でＣＭを対応表示し、表示されたＣＭをユーザが選択すると、選択したＣＭが宣伝する商品についての情報を表示することができる。
【０１２３】
これにより、ユーザは一覧表示された複数ＣＭからユーザの嗜好にそったＣＭをより容易に選択することが可能となる。また、容易にＣＭが宣伝する商品に関する情報を入手することが可能となる。
【０１２４】
さらに、コンテンツやＣＭを表示するための情報が必要になった時点で、他の機器で保持されているそれらの情報を取得するので、機器内部で保持する必要がなくなり蓄積データ量の削減につながるとともに、広告提供者が広告表示に使用する情報を更新した場合でも、最新の情報を表示することが可能になる。
【０１２５】
なお、実施の形態２において、図１２で示したネットワーク構成は一例であり、コンテンツ視聴機器２と表示情報サーバ３が通信を行えればよく、この構成に限定されない。
【０１２６】
なお、実施の形態２において、プロファイルデータ１０９に記載したプロファイル名である「好きなスポーツ」や「購入履歴」はあくまで一例であり、これに限定されない。また、他のプロファイル名を追加してもよく、例えば、プロファイル名として「好きなメーカ」を追加した場合、プロファイル判断部３２がＣＭの表示順を並べ替える際に、「好きなスポーツ」と「好きなメーカ」の両方を用いることができ、よりユーザに適したＣＭ表示順を決定することが可能となるというさらに効果がある。
【０１２７】
なお、実施の形態２において、商品情報１１０として保持する情報は、「商品名」「スポンサー名」「商品ジャンル」「商品紹介ＵＲＬ」としたが、「関連商品名」や「商品を紹介しているＣＭのＣＭＩＤ」などを保持してもよく、これらに限定されるものではない。また、必ずしもこれらが必要でもない。
【０１２８】
（実施の形態３）
本発明の実施の形態３について、図２２〜図２７を用いて説明する。
【０１２９】
まず、図２２〜図２５を用いて、実施の形態３の構成について説明する。
【０１３０】
図２２は実施の形態３のコンテンツ視聴機器５の構成を示す図である。
【０１３１】
図２２ではコンテンツとＣＭとを順次再生したことを記憶して、その後にそれらのコンテンツとＣＭを対応させて表示し、ユーザが表示したＣＭを選択するとＣＭが対応しているコンテンツに関する情報を表示するコンテンツ視聴機器５からなる構成を説明する。
【０１３２】
ここで、コンテンツ視聴機器５については、本発明における特徴的な構成部のみ説明する。
【０１３３】
コンテンツ視聴機器５は、コンテンツとＣＭを対応させて表示する機器であり、例えばハードディスクレコーダである。コンテンツ視聴機器５は、入力部１１と、表示部１２と、再生制御部１３と、コンテンツデータ蓄積部１４と、ＣＭデータ蓄積部１５と、コンテンツＣＭ対応情報蓄積部５０と、コンテンツＣＭ表示制御部１７と、表示情報取得部１８と、コンテンツ表示情報蓄積部５１と、画面表示情報蓄積部５２と、ＣＭ表示情報蓄積部２１と、ＣＭ選択制御部５３とを備える。ここでは本発明における特徴的な構成部についてのみ説明する。
【０１３４】
コンテンツ視聴機器５が備える、入力部１１と、表示部１２と、再生制御部１３と、コンテンツデータ蓄積部１４と、ＣＭデータ蓄積部１５と、コンテンツＣＭ表示制御部１７と、表示情報取得部１８と、ＣＭ表示情報蓄積部２１とは実施の形態１で説明したものと同様である。
【０１３５】
コンテンツＣＭ対応情報蓄積部５０は、再生制御部１３により順次再生されたコンテンツとＣＭとの対応を示すコンテンツＣＭ対応情報を登録する記録装置である。蓄積されるコンテンツＣＭ対応情報１１３の一例について図２３に示す。コンテンツＣＭ対応情報１１３は、再生されたコンテンツのコンテンツＩＤ１１３ａと、再生されたコンテンツに対応して再生されたＣＭを示すＣＭＩＤ１１３ｂと、コンテンツに対応して再生されたＣＭがコンテンツのどの時点で終了したかを示すＣＭ再生終了時間１１３ｃと、コンテンツに対応して再生されたＣＭの紹介する商品がコンテンツに登場する時点を示すＣＭ商品登場時間１１３ｄからなる。再生制御部１３によりコンテンツが再生されると、コンテンツＣＭ対応情報蓄積部５０は再生されたコンテンツとＣＭのＩＤを対応させて情報を蓄積する。
【０１３６】
画面表示情報蓄積部５２は、コンテンツＣＭ表示制御部１７から画面表示情報１１４を受け付けて登録する記憶装置である。画面表示情報１１４については後述する。
【０１３７】
コンテンツ表示情報蓄積部５１は、コンテンツを表示部１２に表示する際に用いるコンテンツ表示情報を登録する記憶装置である。本実施の形態において登録されているコンテンツ表示情報１１５について図２５に示す。コンテンツ表示情報１１５は、コンテンツを特定するためのコンテンツＩＤ１１５ａと、コンテンツタイトル１１５ｂと、コンテンツサムネイル１１５ｃと、コンテンツ概要１１５ｄからなる。コンテンツタイトル１１５ｂはコンテンツの内容を示すタイトルであり、コンテンツサムネイル１１５ｃは、ユーザがコンテンツの内容を確認できるように表示部１２に表示する画像データである。コンテンツ概要１１５ｄはユーザが一見してコンテンツの内容を簡単に把握するための説明文などのデータである。
【０１３８】
ＣＭ選択制御部５３は、コンテンツと対応して表示されたＣＭのサムネイルが選択されると、コンテンツに関する情報の表示を再生制御部１３に依頼する処理部である。入力部１１からサムネイル選択通知を受け付けると、画面表示情報蓄積部５２を参照して選択されたサムネイルから選択されたＣＭを特定して対応しているコンテンツのＣＩＤとＣＭ再生終了時間とＣＭ商品登場時間を特定する。そして、再生制御部１３に対して、特定したＣＩＤと、ＣＭ再生終了時間またはＣＭ商品登場時間をコンテンツの再生開始時間として渡す。これによりＣＭに対応したコンテンツのＣＭ再生時間近辺のコンテンツ再生が行われる。なお、本実施の形態ではコンテンツの再生開始時間として、ＣＭ商品登場時間を用い、ＣＭ商品登場時間が“登場なし”である場合は、ＣＭ再生終了時間を用いることとする。
【０１３９】
画面表示情報１１４について図２４に示す。画面表示情報１１４は、コンテンツＣＭ対応情報１１３が保持する情報に加えて、コンテンツ表示情報１１５およびＣＭ表示情報１０６の画面表示用に必要なエントリに対する参照情報により構成され、表示するコンテンツの表示情報１１４ａと、コンテンツに対応して１番目に表示するＣＭ表示情報１１４ｂと、コンテンツに対応して２番目に表示するＣＭ表示情報１１４ｃからなる。表示するコンテンツの表示情報１１４ａにはコンテンツ表示情報１１５のエントリの先頭アドレスが設定される。ＣＭの表示情報１１４ｂおよび１１４ｃには、ＣＭ表示情報１０６のエントリの先頭アドレスと、コンテンツＣＭ対応情報１１３のＣＭ再生終了時間１１３ｃとＣＭ商品登場時間１１３ｄと、が設定される。
【０１４０】
図２６は、ユーザからのＣＭ選択要求を受け付けて、選択されたＣＭの紹介する商品が、対応するコンテンツに登場する時点のコンテンツビデオデータを表示する処理シーケンスである。
【０１４１】
なお、この処理シーケンスの開始時には、コンテンツＣＭ対応画面表示ステップＳ２０９で表示部１２に表示された図１０で示す画面が表示され、また、図２４に示した画面表示情報１１４が画面表示情報蓄積部５２に登録されているものとする。
【０１４２】
ユーザは、入力部１１を用いて、表示部１２に表示されているＣＭ１の表示１０７ｂを選択する。入力部１１は、ＣＭ選択制御部５３に対して、ＣＭ１の表示１０７ｂが選択されたというＣＭ１表示選択情報を通知する（Ｓ７０１）。
【０１４３】
ＣＭ選択制御部５３は、入力部１１からＣＭ１表示選択情報を受け付けると、画面表示情報蓄積部５２に登録されている画面表示情報１１４を取得する（Ｓ７０２）。そして、ＣＭ選択制御部５３は、ＣＭ１表示選択情報に基づき画面表示情報１１４を参照して、選択されたＣＭのＣＭＩＤを特定する（Ｓ７０３）。そして、選択されたＣＭのＣＭＩＤから対応するコンテンツのＣＩＤとＣＭ再生終了時間とＣＭ商品登場時間を特定する（Ｓ７０４）。ここでは、ＣＭ１が選択されたので、ＣＭＩＤは“ＭＩＤ１”、対応するコンテンツのＣＩＤは“ＣＩＤ１”、ＣＭ再生終了時間は“００：０５：００”、ＣＭ商品登場時間は“００：０８：３０”と特定される。
【０１４４】
ＣＭ選択制御部５３は、コンテンツの再生開始時間として、ＣＭ商品登場時間“００：０８：３０”を用いる（Ｓ７０５）。
【０１４５】
ＣＭ選択制御部５３は、再生制御部１３に対してコンテンツ１のＣＩＤである“ＣＩＤ１”とコンテンツの再生開始時間“００：０８：３０”を送信して再生を要求する（Ｓ７０６）。
【０１４６】
再生制御部１３は、ＣＭ選択制御部５３からのＣＭ再生要求（Ｓ７０６）を受け付けると、コンテンツデータ蓄積部１４からコンテンツ１のコンテンツ１ビデオデータを取得する（Ｓ７０７）。そして、再生制御部１３は、取得したコンテンツ１ビデオデータをコンテンツの再生開始時間“００：０８：３０”から再生して表示部１２に再生表示する（Ｓ７０８）。
【０１４７】
上述の処理シーケンスにより、図１０に示したＧＵＩで一覧表示されたコンテンツに対応して再生されたＣＭを選択することで、選択されたＣＭの紹介する商品が、対応するコンテンツに登場する時点のコンテンツビデオデータの表示を行うことが可能になる。
【０１４８】
図２７は、ユーザからのＣＭ選択要求を受け付けて、選択されたＣＭに対応するコンテンツの概要と、コンテンツのＣＭ再生が終了した時点でのビデオデータを表示する処理シーケンスである。
【０１４９】
なお、この処理シーケンスの開始時には、コンテンツＣＭ対応画面表示ステップＳ２０９で表示部１２に表示された図１０で示す画面が表示され、また、図２４に示した画面表示情報１１４が画面表示情報蓄積部５２に登録されているものとする。
【０１５０】
ユーザは、入力部１１を用いて、表示部１２に表示されているＣＭ２の表示１０７ｃを選択する。入力部１１は、ＣＭ選択制御部５３に対して、ＣＭ２の表示１０７ｃが選択されたというＣＭ２表示選択情報を通知する（Ｓ８０１）。
【０１５１】
ＣＭ選択制御部５３は、入力部１１からＣＭ２表示選択情報を受け付けると、画面表示情報蓄積部５２に登録されている画面表示情報１１４を取得する（Ｓ８０２）。そして、ＣＭ選択制御部５３は、ＣＭ２表示選択情報に基づき画面表示情報１１４を参照して、選択されたＣＭのＣＭＩＤを特定する（Ｓ８０３）。そして、選択されたＣＭのＣＭＩＤから対応するコンテンツのＣＩＤとＣＭ再生終了時間とＣＭ商品登場時間を特定する（Ｓ８０４）。ここでは、ＣＭ２が選択されたので、ＣＭＩＤは“ＭＩＤ２”、対応するコンテンツのＣＩＤは“ＣＩＤ１”、ＣＭ再生終了時間は“００：２０：３０”、ＣＭ商品登場時間は“登場なし”と特定される。
【０１５２】
次に、ＣＭ選択制御部５３は、表示するコンテンツ表示情報１１４ａからコンテンツ表示情報１１５を参照して、コンテンツ１のコンテンツ概要１１５ｄを取得する。そして、再生制御部１３に対して、コンテンツ概要表示を要求する（Ｓ８０５）。
【０１５３】
再生制御部１３は、ＣＭ選択制御部５３からのコンテンツ概要表示（Ｓ８０５）を受け付けると、表示部１２に表示する（Ｓ８０６）。
【０１５４】
これにより、ユーザがＣＭを選択すると、ＣＭが対応しているコンテンツの内容を示すコンテンツ概要を表示することができる。
【０１５５】
ＣＭ選択制御部５３は、コンテンツの再生開始時間として、ＣＭ再生終了時間“００：２０：３０”を用いる（Ｓ８０７）。
【０１５６】
ＣＭ選択制御部５３は、再生制御部１３に対してコンテンツ１のＣＩＤである“ＣＩＤ１”とコンテンツの再生開始時間“００：２０：３０”を送信して再生を要求する（Ｓ８０８）。
【０１５７】
再生制御部１３は、ＣＭ選択制御部５３からのＣＭ再生要求（Ｓ８０８）を受け付けると、コンテンツデータ蓄積部１４からコンテンツ１のコンテンツ１ビデオデータを取得する（Ｓ８０９）。そして、再生制御部１３は、取得したコンテンツ１ビデオデータをコンテンツの再生開始時間“００：２０：３０”から再生して表示部１２に再生表示する（Ｓ８１０）。
【０１５８】
上述の処理シーケンスにより、図１０に示したＧＵＩで一覧表示されたコンテンツに対応して再生されたＣＭを選択することで、選択されたＣＭに対応するコンテンツのＣＭ再生が終了した時点でのビデオデータを表示することが可能になる。
【０１５９】
以上から、本実施の形態によれば、コンテンツと広告が対応して順次再生された際のコンテンツＩＤとＣＭＩＤをコンテンツＣＭ対応情報として一括りで登録し、その後、登録されているコンテンツＣＭ対応情報からコンテンツと対応するＣＭの表示情報を取得して対応表示し、表示されたＣＭをユーザが選択すると、選択したＣＭに対応するコンテンツの、ＣＭに関連する部分の再生を行うことができる。
【０１６０】
これにより、ユーザは、ＣＭが順次再生されるコンテンツを視聴すると、視聴した複数のコンテンツに対応している複数のＣＭについての情報を一覧して参照できるとともに、ＣＭが再生された部分のコンテンツ内容を参照しながら、表示されたＣＭを容易に選択再生することが可能となる。
【０１６１】
なお、実施の形態３において、ＣＭ選択制御部５３でコンテンツの再生開始時間としてＣＭ再生終了時間やＣＭ商品登場時間を用いたが、ユーザがＣＭを探す際にコンテンツの内容を参照することができるようにするために、ＣＭが再生されたコンテンツの特定再生時間を記憶しておく方法であれば何でもよく、本実施の形態のＣＭ再生終了時間やＣＭ商品登場時間のみに限定されるものではない。
【０１６２】
なお、実施の形態１から３において、コンテンツはあらかじめ再生可能であればよく、パッケージメディアから再生するなどしてもよいので、本発明はコンテンツ入手方法によって限定されるものではない。
【０１６３】
なお、実施の形態１から３において、コンテンツ表示情報１０５において、コンテンツの表示に用いる情報をコンテンツタイトルとコンテンツサムネイルとしたが、コンテンツの制作者やコンテンツの総再生時間などを保持して表示してもよく、これらに限るものではない。また、コンテンツタイトルやコンテンツサムネイルが必ずしも必要というわけではない。コンテンツサムネイルがコンテンツ表示情報として提供されない場合、コンテンツＣＭ対応画面表示時に、コンテンツデータ１０１に含まれるビデオデータ１０１ｂから適当なコンテンツサムネイルを生成すればよい。
【０１６４】
なお、実施の形態１から３において、コンテンツ表示情報の場合と同様に、ＣＭ表示情報１０６において、ＣＭの表示に用いる情報をＣＭタイトルとＣＭサムネイルとしたが、ＣＭの制作者やコンテンツの総再生時間などを保持して表示してもよく、これらに限るものではない。また、ＣＭタイトルやＣＭサムネイルが必ずしも必要というわけではない。ＣＭサムネイルがＣＭ表示情報として提供されない場合、コンテンツＣＭ対応画面表示時に、ＣＭデータ１０２に含まれるビデオデータ１０２ｂから適当なＣＭサムネイルを生成すればよい。
【０１６５】
なお、実施の形態１から３において、図１０と図１９で示したように、表示するコンテンツ数は２つとしたが、コンテンツＣＭ対応情報１０３および画面表示情報１０４のエントリ（列）数を増減させることで、１つまたは２つ以上で実現することができる。このため、表示するコンテンツ数は２つで限定されるものではない。
【０１６６】
なお、実施の形態１から３において、図１０と図１９で示したコンテンツに対応して表示するＣＭ数は１つまたは２つとしたが、コンテンツＣＭ対応情報１０３および画面表示情報１０４で保持するＣＭ情報の数を増減させることで、２つ以上で実現することができる。このため、表示するＣＭ数は１つまたは２つで限定されるものではない。
【０１６７】
なお、実施の形態１から３において、図１０と図１９で示した画面表示はあくまで一例であり、本発明で明示的に記載した要件を除き、各要素の配置位置や大きさはこれに限定されるものではない。
【産業上の利用可能性】
【０１６８】
本発明にかかる広告表示機器および表示方法により、ユーザは広告情報を含むコンテンツを視聴した後で、視聴した１または複数のコンテンツに対応した１または複数の広告情報から視聴済み広告をコンテンツの内容を参照して容易に選択することが可能となるので、コンテンツを視聴する機器等に有用である。
【図面の簡単な説明】
【０１６９】
【図１】実施の形態１におけるコンテンツ視聴機器１の機能ブロックを示す図
【図２】コンテンツデータ蓄積部１４に蓄積されるコンテンツデータを示す図
【図３】ＣＭデータ蓄積部１５に蓄積されるＣＭデータを示す図
【図４】コンテンツＣＭ対応情報１０３の一例を示す図
【図５】実施の形態１におけるコンテンツ表示情報を示す図
【図６】実施の形態１におけるＣＭ表示情報を示す図
【図７】実施の形態１における画面表示情報１０４の構成を示す図
【図８】コンテンツとＣＭを順次再生する処理シーケンス図
【図９】再生したコンテンツとそのコンテンツと順次再生されたＣＭを対応させて表示する処理シーケンス図
【図１０】コンテンツＣＭ対応画面のＧＵＩを示す図
【図１１】ユーザからのＣＭ選択要求を受け付けて、選択されたＣＭを再生する処理シーケンス図
【図１２】実施の形態２のコンテンツ視聴機器２と表示情報サーバ３の構成を示す図
【図１３】実施の形態２において登録されているプロファイルデータ１０９の構成を示す図
【図１４】実施の形態２において登録されている商品情報１１０を示す図
【図１５】画面表示情報１０８の構成を示す図
【図１６】ソート後画面表示情報１０９の構成を示す図
【図１７】再生したコンテンツとそのコンテンツと順次再生されたＣＭを対応させて表示し、その際、ユーザの嗜好にあうと考えられるＣＭをユーザが認識しやすいように並べ替えて表示する処理シーケンス図
【図１８】再生したコンテンツとそのコンテンツと順次再生されたＣＭを対応させて表示し、その際、ユーザの嗜好にあうと考えられるＣＭをユーザが認識しやすいように並べ替えて表示する処理シーケンス図
【図１９】実施の形態２におけるコンテンツＣＭ対応画面を示す図
【図２０】ユーザからのＣＭ選択要求を受け付けて、選択されたＣＭの宣伝している商品情報を表示する処理シーケンス図
【図２１】実施の形態２の商品情報表示画面のＧＵＩを示す図
【図２２】実施の形態３におけるコンテンツ視聴機器５の機能ブロックを示す図
【図２３】コンテンツＣＭ対応情報１１３の一例を示す図
【図２４】実施の形態３における画面表示情報１１４の構成を示す図
【図２５】実施の形態３におけるコンテンツ表示情報１１５を示す図
【図２６】ユーザからのＣＭ選択要求を受け付けて、選択されたＣＭに対応したコンテンツのＣＭが紹介する商品が登場する部分を再生する処理シーケンス図
【図２７】ユーザからのＣＭ選択要求を受け付けて、選択されたＣＭに対応したコンテンツの概要を表示し、コンテンツのＣＭ再生終了後部分を再生する処理シーケンス図
【符号の説明】
【０１７０】
１、２、５  コンテンツ視聴機器
３  表示情報サーバ
４  インターネット
１１  入力部
１２  表示部
１３  再生制御部
１４  コンテンツデータ蓄積部
１５  ＣＭデータ蓄積部
１６、５０  コンテンツＣＭ対応情報蓄積部
１７、３０  コンテンツＣＭ表示制御部
１８、３１  表示情報取得部
１９、５２  画面表示情報蓄積部
２０、３８、５１  コンテンツ表示情報蓄積部
２１、３９  ＣＭ表示情報蓄積部
２２、３５、５３  ＣＭ選択制御部
３２  プロファイル判断部
３３  端末通信部
３４  プロファイルデータ蓄積部
３６  商品情報取得部
３７  サーバ通信部
４０  商品情報蓄積部
【図１】
2008109255.tif 000003
【図２】
2008109255.tif 000004
【図３】
2008109255.tif 000005
【図４】
2008109255.tif 000006
【図５】
2008109255.tif 000007
【図６】
2008109255.tif 000008
【図７】
2008109255.tif 000009
【図８】
2008109255.tif 000010
【図９】
2008109255.tif 000011
【図１０】
2008109255.tif 000012
【図１１】
2008109255.tif 000013
【図１２】
2008109255.tif 000014
【図１３】
2008109255.tif 000015
【図１４】
2008109255.tif 000016
【図１５】
2008109255.tif 000017
【図１６】
2008109255.tif 000018
【図１７】
2008109255.tif 000019
【図１８】
2008109255.tif 000020
【図１９】
2008109255.tif 000021
【図２０】
2008109255.tif 000022
【図２１】
2008109255.tif 000023
【図２２】
2008109255.tif 000024
【図２３】
2008109255.tif 000025
【図２４】
2008109255.tif 000026
【図２５】
2008109255.tif 000027
【図２６】
2008109255.tif 000028
【図２７】
2008109255.tif 000029